(57)【要約】【課題】レリースワイヤの施工方法を簡単にし、レリースワイヤの施工時の挫屈や故障、作動不良を防止する。また工場での浴槽（槽体）の積み重ねを可能にする。【解決手段】操作部３を、スイッチ上部４、スイッチ下部５、Ｃ字リング６から構成、スイッチ上部４を、筒状であって、係止部４１と、スイッチ下部５が配置される取付口４２により構成。スイッチ下部５を、その端部もしくは内部でレリースワイヤ７の端部が接続され、筒状であって、その外周にスライド溝５１を構成し、上端に構成されたスイッチ上部４の取付口４２に固定される受口５２と、から構成。Ｃ字リング４を、上面視Ｃ字状に構成し、スイッチ下部５のスライド溝５１にスライド係合される断面視内周方向に向けて突出して構成されるスライド凸部６１と、スライド凸部６１より上方に構成されて、スイッチ上部４の係止部４１に係止される被係止部６２と、から構成。【選択図】  図１
2010095925.tif 000002
【特許請求の範囲】
【請求項１】
底部に排水口を開口した槽体１と、
排水口内に配置されて排水口を開閉する弁体２と、
弁体２を遠隔的に開閉操作する操作部３と、
弁体２及び操作部３に連結されるレリースワイヤ７と、
から構成される遠隔操作式排水栓装置において、
前記操作部３を、スイッチ上部４、スイッチ下部５、Ｃ字リング６から構成し、
各構成を、
筒状であって、係止部４１と、スイッチ下部５が配置される取付口４２と、から構成されるスイッチ上部４、
その端部もしくは内部でレリースワイヤ７の端部が接続され、筒状であって、その外周にスライド溝５１を構成し、上端に構成されたスイッチ上部４の取付口４２に固定される受口５２と、から構成されるスイッチ下部５、
上面視Ｃ字状に構成され、スイッチ下部５のスライド溝５１にスライド係合される断面視内周方向に向けて突出して構成されるスライド凸部６１と、スライド凸部６１より上方に構成されて、スイッチ上部４の係止部４１に係止される被係止部６２と、から構成されるＣ字リング６と、
から構成されたことを特徴とする遠隔操作式排水栓装置。
【請求項２】
前記スイッチ上部４の係止部４１は、スイッチ上部４外周面に突状に構成されるとともに、前記Ｃ字リング６の被係止部６２は、断面視内周方向に向けて突出して構成されることを特徴とする前記請求項１に記載の遠隔操作式排水栓装置。
【請求項３】
前記Ｃ字リング６の被係止部６２上面に、断面視外周から内周に向けて傾斜する傾斜面６３を構成したことを特徴とする前記請求項１又は請求項２に記載の遠隔操作式排水栓装置。
【請求項４】
前記レリースワイヤ７端部に、レリースワイヤ７のインナーワイヤ７２の進退を保持する機構部であるメカボックス７３を備え、さらに当該メカボックス７３をスイッチ下部５に脱着自在に取り付けるとともに、メカボックス７３の上端がスイッチ下部５の上端より上方に配置して構成したことを特徴とする前記請求項１乃至請求項３のいずれか一つに記載の遠隔操作式排水栓装置。
【請求項５】
前記Ｃ字リング６は、予めスイッチ下部５のスライド溝５１に取り付け、スイッチ下部５をスイッチ上部４の取付口４２に差し込むことにより、Ｃ字リング６が外周方向にむけて拡径しスイッチ上部４の係止部４１に係合してスイッチ上部４及びスイッチ下部５を係合接続させることを特徴とする前記請求項１乃至請求項４のいずれか一つに記載の遠隔操作式排水栓装置の施工方法。
【発明の詳細な説明】
【技術分野】
【０００１】
本発明は、槽体などの排水口の開閉を遠隔的に操作することのできる遠隔操作式排水栓装置とその施工方法に関するものである。
【背景技術】
【０００２】
従来よく知られた、遠隔操作式排水栓装置としては、例えば図７に図示した遠隔操作式排水栓装置がある。以下に図７に図示した遠隔操作式排水栓装置の従来例を、図面を参照しつつ説明する。
図７に図示した従来例の遠隔操作式排水栓装置は、以下に記載した槽体と、排水口と、弁体と、操作部と、レリースワイヤと、メカボックスと、から構成されてなる。
槽体は、内部に水を貯水／排水するための箱体であり、本従来例では浴室に設けられる浴槽を採用している。
排水口は、浴槽の底面に開口された穴であって、浴槽内に貯水していた水を下水へと排水する開口である。
排水栓は、排水口に設置されるフランジを有した筒体であって、内部に後述する支持部及び弁体を脱着自在に構成して成る。
弁体は、排水栓に設けられて上下動しつつ排水口の開口／閉口を行う部材であって、排水口に着座時は排水口を閉口し止水する。そして排水口を開口時には浴槽内の水を下水へと排水する。弁体の裏面には後述するインナーワイヤのピン部が脱着自在に構成される。
支持部は排水栓内に脱着自在に取り付けられる部材であって、レリースワイヤを排水栓の中央部分に配置固定させるための部材である。
操作部は、浴槽の上縁部に取付固定される釦状の部材であって、排水口の弁体を遠隔的に操作するものである。操作部は円筒状のスイッチ本体と、ボタン部とから構成される。スイッチ本体内周には、後記するメカボックスの雄ねじに螺合する雌ねじが螺設されて成る。
レリースワイヤは、弁体及び操作部に連結され、金属線がコイル状となって構成されているインナーワイヤと、該インナーワイヤを進退自在に収納するアウターワイヤより構成されて成る。レリースワイヤの弁体側端部は弁体との接続箇所であるピン部を構成して成る。尚、レリースワイヤの弁体側の端部は支持部の中心部に取付固定され、操作部側端部は操作部に脱着自在に取り付け固定される。
メカボックスは、レリースワイヤのインナーワイヤの進退を保持／保持解除する作用を備え、本従来例では公知である、ボールペンのノック機構で使用されるスラストロック機構を採用してなる。当該メカボックスはレリースワイヤの操作部側端部に構成される。また、メカボックス外周には雄ねじが螺設されてなる。
チューブ管は操作部から排水栓まで連結する軟質管体であって、内部にレリースワイヤが配置される。
【０００３】
上記した従来例の遠隔操作式排水栓装置は以下のようにして槽体である浴槽に施工される。施工現場にて浴槽の上縁部に操作部のスイッチ本体を取り付け固定する。
そして、浴槽の排水口に排水栓を取付け、操作部のスイッチ本体下端から排水栓までチューブ管で接続し、浴槽外側の操作部開口からレリースワイヤを弁側まで挿入する。するとスイッチ本体にはチューブ管が接続されているので、チューブ管がガイドとなりレリースワイヤが排水栓側まで挿入される。排水栓内に配置されたレリースワイヤの端部を、排水栓から浴槽の表側へ取り出す。このとき、レリースワイヤのメカボックスはスイッチ本体の最下端に位置する。そして支持部の中心部にレリースワイヤの端部を接続し、支持部の係合脚を排水栓内の凸部に係合させて支持部を排水栓内に配置固定させる。この状態時、レリースワイヤは排水口内に位置固定される。そして操作部のスイッチ本体内のメカボックスを回転させると、メカボックス外周の雄ねじとスイッチ本体内周の雌ねじが螺合し、そのねじの螺合の回転に合わせてメカボックスがスイッチ本体の上端付近まで引き上げられる。そして、スイッチ本体内の適宜箇所にメカボックスが配置固定され、ボタン部をスイッチ本体にボタン部を取り付ける。また、その後、弁体を排水栓内に配置されたレリースワイヤのピン部に弁体を着脱自在に取り付けて遠隔操作式排水栓装置の施工が完了する。
【０００４】
このようにして施工された遠隔操作式排水栓装置は以下のように動作する。
まず操作部に操作を加えて、弁体が排水栓を閉口した状態とする。この時、操作部に設けられたメカボックスはレリースワイヤ中のインナーワイヤの動作を固定していないため、弁体は自重によって降下し、排水口を閉口している。
次に操作ボタンに操作を加えてメカボックスを作動させ、インナーワイヤが弁体の方に突出した状態で固定させると、インナーワイヤが突出したことで、先端のピン部が上昇し、その先端に着脱自在に接続されている弁体を持ち上げ、排水口が開口される。
この状態より再度操作ボタンに操作を加えて、操作部内の保持機構部を作動させ、インナーワイヤの固定を解除すると、メカボックス内のリターンスプリングが作動してインナーワイヤが元の位置に後退する。そうすると弁体の自重が働いてインナーワイヤが後退し、弁体が降下して排水口が閉口される。
以後この操作を繰り返すことで、排水口の開閉を操作部によって遠隔的且つ自在に操作することができる。
【０００５】
【特許文献１】特開２００４−１２４５７８号公報
【発明の開示】
【発明が解決しようとする課題】
【０００６】
従来例のような遠隔操作式排水栓装置は、以下のような問題点があった。
従来の遠隔操作式排水栓装置は、操作部が１パーツで構成されていることから、工場で操作部を取り付けると、操作部の浴槽下の飛び出し代が大きく、浴槽を積み重ねることが出来なかった。浴槽を沢山積み重ねるためには操作部を現場で施工すれば良いのだが、狭い施工現場の、更には狭い浴槽裏空間にて操作部を取り付けるのは非常に手間であった。また、施工現場にて操作部を取り付けると、浴槽裏の狭い空間にて精密部品であるメカボックスやレリースワイヤの取付を行うため、レリースワイヤの挫屈やメカボックスの故障等が発生しやすかった。
【０００７】
従って、本発明の遠隔操作式排水栓装置は、以下の課題を解決するために発明された。
１．レリースワイヤの施工方法を簡単にする。
２．レリースワイヤの施工時の挫屈や故障、作動不良を防止する。
３．工場での浴槽（槽体）の積み重ねを可能にする。
【課題を解決するための手段】
【０００８】
請求項１に記載の本発明は、底部に排水口を開口した槽体１と、排水口内に配置されて排水口を開閉する弁体２と、弁体２を遠隔的に開閉操作する操作部３と、弁体２及び操作部３に連結されるレリースワイヤ７と、から構成される遠隔操作式排水栓装置において、前記操作部３を、スイッチ上部４、スイッチ下部５、Ｃ字リング６から構成し、各構成を、筒状であって、係止部４１と、スイッチ下部５が配置される取付口４２と、から構成されるスイッチ上部４、その端部もしくは内部でレリースワイヤ７の端部が接続され、筒状であって、その外周にスライド溝５１を構成し、上端に構成されたスイッチ上部４の取付口４２に固定される受口５２と、から構成されるスイッチ下部５、上面視Ｃ字状に構成され、スイッチ下部５のスライド溝５１にスライド係合される断面視内周方向に向けて突出して構成されるスライド凸部６１と、スライド凸部６１より上方に構成されて、スイッチ上部４の係止部４１に係止される被係止部６２と、から構成されるＣ字リング６と、から構成されたことを特徴とする遠隔操作式排水栓装置である。
【０００９】
請求項２に記載の本発明は、前記スイッチ上部４の係止部４１は、スイッチ上部４外周面に突状に構成されるとともに、前記Ｃ字リング６の被係止部６２は、断面視内周方向に向けて突出して構成されることを特徴とする前記段落０００８に記載の遠隔操作式排水栓装置である。
【００１０】
請求項３に記載の本発明は、前記Ｃ字リング６の被係止部６２上面に、断面視外周から内周に向けて傾斜する傾斜面６３を構成したことを特徴とする前記段落０００８又は段落０００９に記載の遠隔操作式排水栓装置である。
【００１１】
請求項４に記載の本発明は、前記レリースワイヤ７端部に、レリースワイヤ７のインナーワイヤ７２の進退を保持する機構部であるメカボックス７３を備え、さらに当該メカボックス７３をスイッチ下部５に脱着自在に取り付けるとともに、メカボックス７３の上端がスイッチ下部５の上端より上方に配置して構成したことを特徴とする前記段落０００８乃至段落００１０のいずれか一つに記載の遠隔操作式排水栓装置である。
【００１２】
請求項５に記載の本発明は、前記Ｃ字リング６は、予めスイッチ下部５のスライド溝５１に取り付け、スイッチ下部５をスイッチ上部４の取付口４２に差し込むことにより、Ｃ字リング６が外周方向にむけて拡径しスイッチ上部４の係止部４１に係合してスイッチ上部４及びスイッチ下部５を係合接続させることを特徴とする前記段落０００８乃至段落００１１のいずれか一つに記載の遠隔操作式排水栓装置の施工方法である。
【発明の効果】
【００１３】
本発明の遠隔操作式排水栓装置は、以下の効果を奏する。
請求項１に記載の遠隔操作式排水栓装置は、操作部３をスイッチ上部４、スイッチ下部５、Ｃ字状に構成されたＣ字リング６を構成したことから、操作部３とレリースワイヤ７を簡単にワンタッチで接続することが出来、施工が簡単になった。また、従来のように施工時に、チューブ管９内をレリースワイヤ７を挿通するようなことなく施工することができるので、レリースワイヤ７挿通時のレリースワイヤ７の挫屈等の発生を防ぐことができる。また、従来のようにネジ等で接続しないので施工の手間が簡単になる。また、操作部３をスイッチ上部４とスイッチ下部５と２分割としたので、操作部３の長さが従来と比較して短くなり、浴槽１の工場の在庫時に多層にわたり積み重ねることができる。
請求項２に記載の遠隔操作式排水栓装置は、スイッチ上部４外周面に突状に構成されるとともに、前記Ｃ字リング６の被係止部６２は、断面視内周方向に向けて突出して構成したので、操作部３とレリースワイヤ７を簡単にワンタッチで接続することが出来、施工が簡単になった。また、従来のように施工時に、チューブ管９内を、レリースワイヤ７を挿通するようなことなく施工することができるので、レリースワイヤ７挿通時のレリースワイヤ７の挫屈等の発生を防ぐことができる。また、従来のようにネジ等で接続しないので施工の手間が簡単になる。また、操作部３をスイッチ上部４とスイッチ下部５と２分割としたので、操作部３の長さが従来と比較して短くなり、浴槽１の工場の在庫時に多層にわたり積み重ねることができる。
請求項３に記載の遠隔操作式排水栓装置は、Ｃ字リング６の被係止部６２上面に断面視外周から内周に向けて傾斜する傾斜面６３を構成したことから、接続時に、スイッチ上部４の係止部４１にＣ字リング６の傾斜面６３が当接し、傾斜に沿ってＣ字リング６が円滑かつ正確に外周方向に拡径することができる。
請求項４に記載の遠隔操作式排水栓装置は、メカボックス７３の上端をスイッチ下部５の上端より上方に突出して構成したことから、施工時にメカボックス７３の上端をガイドとして兼用させることで、スイッチ上部４の取付口４２に挿入しやすくすることが出来る。
請求項５に記載の遠隔操作式排水栓装置の施工方法は、従来の遠隔操作式排水栓装置の施工方法よりも簡単にせつぞくすることが出来るので、施工者にとって手軽で簡単であり、更には施工時の故障、挫屈、誤作動等を予防することができる。
【実施例】
【００１４】
以下に本発明の実施例を、図面を参照しつつ説明する。
図１乃至図６に図示した本実施例の遠隔操作式排水栓装置は、以下に記載した槽体１と、弁体２と、操作部３と、レリースワイヤ７と、Ｃ字リング６から構成されてなる。
槽体１は、浴室に設けられる浴槽であって、箱体形状の底面に排水口を開口して成る。本実施例に於いては、槽体１の排水口に、筒状であって、上端に鍔状のフランジを構成した排水栓８を構成する。当該排水栓８は、内周に後述するレリースワイヤ７のピン部を中央に支持する支持部材を脱着自在に構成して成る。
また、排水栓８の下流には排水管や排水トラップが構成配置しているので、槽体１内の排水は最終的には下水管へと排水される。
弁体２は、図６に示したように、排水口の上下動をすることによって止水／排水を行う部材である。当該弁体２の上下動を行うのは後述する操作部３及びレリースワイヤ７であって、弁体２が下降して排水栓８のフランジに着座した際は排水口を止水・閉栓する。また、操作部３を操作することによって弁体２が上昇した際は、排水口が開口し、槽体１内の排水を槽体１外の下流へと排水する。
操作部３は、図１及び図３乃至図５に示したように、弁体２を遠隔的に開閉操作する部材であり、槽体１の上縁に設けられる。本実施例ではスイッチ上部４と、スイッチ下部５と、Ｃ字リング６と、から構成される。
スイッチ上部４は、槽体１上縁に取付固定される部材であって、円筒状で上端に鍔状のフランジ、外周に槽体１取り付け用のネジが構成されている。また、下端には後述するスイッチ下部５が接続されるための取付口４２が構成される。スイッチ上部４の下端の外周面には、スイッチ下部５との接続時に両者に水密化を図る為にゴム等の軟質部材からなるＯリングを配置して成る。
スイッチ下部５は、筒状であって、内部にレリースワイヤ７の端部が接続される部材である。スイッチ下部５外周に構成されたスライド溝５１と、スイッチ下部５上端に構成されたスイッチ上部４との取付口４２に挿入固定される受口５２と、を構成して成る。
Ｃ字リング６は、上面視略Ｃ字状に構成され、スイッチ下部５のスライド溝５１にスライド係合される断面視内周方向に向けて突出して構成されるスライド凸部６１と、スライド凸部６１より上方に構成されて、スイッチ上部４の係止部４１に係止される断面視内周方向に向けて突出して構成された被係止部６２と、から構成されて成る。また、被係止部６２は上面を内径方向に向かって下降するように傾斜する傾斜面６３を構成する。
レリースワイヤ７は、弁体２及び操作部３に連結される、アウターチューブ７１とインナーワイヤ７２とリターンスプリングから構成される部材であり、操作部３側端部にはメカボックス７３を、弁体２側端部にはピン部を構成して成る。
アウターチューブ７１は、可撓性を有する材質から構成される、筒状の管体である。
インナーワイヤ７２は、アウターチューブ７１の内部に進退自在に備えられる、金属製の圧縮コイルより構成されて成る。
ピン部は、インナーワイヤ７２の弁体２側端部に構成される部材であって、弁体２の裏面に脱着自在に取り付けられるパーツである。
メカボックス７３は、レリースワイヤ７の操作部３側端部に構成される部材であって、内部にインナーワイヤ７２の進退を保持する、ボールペンの芯の進退保持に使用される、公知技術のスラストロック機構を備える。また、メカボックス７３はスイッチ下部５に脱着自在に係合固定される。そして、メカボックス７３の上端は、スイッチ下部５の上端面より上に位置するように係合固定される。
チューブ管９は、操作部３から排水栓８までを連結する管体であり、内部にレリースワイヤ７が挿通される。
【００１５】
上記のように構成した遠隔操作式排水栓装置は以下のように施工される。
工場などで予めスイッチ下部５下端にチューブ管９を接続しておき、レリースワイヤ７に接続されたメカボックス７３をスイッチ下部５内に挿通させて、スイッチ下部５内部にメカボックス７３を係合接続させておく。このとき、メカボックス７３の上端はスイッチ下部５の上端よりも上方に位置するよう係合接続される。その後、工場にて槽体１の上縁の操作部３取付部分開口に操作部３のスイッチ上部４を取付固定する。これにより工場において槽体１が積み重ねることができる。これは、操作部３がスイッチ上部４とスイッチ下部５と分割して構成されるため、スイッチ上部４の飛び出しは従来と比較して半分に短くすることができ、さらに浴槽を多層に積み重ねることが出来、工場内にて省スペースで在庫を行うことができる。
そして、施工現場にて、槽体１の排水口に排水栓８を取付け固定し、レリースワイヤ７のピン部側を槽体１の裏側から排水栓８内部に挿通させ、槽体１内部（表側）からレリースワイヤ７のピン部を取り出す。その後、支持部にピン部を接続し、支持部を排水栓８内部に取り付ける。この状態時に排水栓８内部の中央部にレリースワイヤ７のピン部が配置固定されることとなる。そして、図３に示したように、スイッチ下部５のスライド溝５１にＣ字リング６のスライド凸部６１をスライド嵌合させる。このとき、被係止部６２の傾斜面６３が上方となるようにセットする。そして、図４のようにスイッチ上部４の下方から、スイッチ下部５の受口５２をスイッチ上部４の取付口４２に差し込む。このとき、スイッチ下部５の上端より上方に位置するメカボックス７３を取付口４２へのガイドとして活用することで、スイッチ上部４の取付口４２へスイッチ下部５の受口５２を挿入配置しやすくなる。また、現場での槽体１裏側での視認しにくい環境であっても簡単に挿入接続することが出来る。すると、図５に示したように、Ｃ字リング６の被係止部６２の傾斜面６３が、スイッチ上部４の係止部４１に当接し、Ｃ字リング６の外周方向に拡径する。このとき、Ｃ字リング６には傾斜面６３が構成されているので、係止部４１に当接した際、Ｃ字リング６が傾斜面６３により外方向に拡径することができる。図１のように、拡径後、スイッチ上部４の係止部４１にＣ字リング６の被係止部６２が係止し、スイッチ下部５がスイッチ上部４に取り付けられる。これによりスイッチ上部４の取付口４２へスイッチ下部５の受口５２を挿入配置しやすくなり、現場での槽体１裏側での視認しにくい環境であっても簡単に挿入接続することが出来る。この状態においてレリースワイヤ７の配置が円滑な動作に適当な箇所になり、排水栓８内のピン部に弁体２を取り付けることで、遠隔操作式排水栓装置の施工が終了する。
【００１６】
上記のように施工された遠隔操作式排水栓装置は、以下のような作動となる。
弁体２が排水栓８に着座状態（図６における（Ａ）のように弁体２が下降時）の際に、操作部３に操作を加えると、レリースワイヤ７のインナーワイヤ７２が進行し、インナーワイヤ７２のピン部に取り付けられている弁体２が上昇する。そして、レリースワイヤ７のメカボックス７３の保持機構がインナーワイヤ７２の進行状態を保持する。そうすることで、図６における（Ｂ）のように弁体２の上昇状態が保持されることとなる。その後、再度操作部３を操作するとインナーワイヤ７２が進行しメカボックス７３の保持機構が解除される。するとレリースワイヤ７中のリターンスプリングが作動し、リターンスプリングの弾性によりインナーワイヤ７２が元の位置に戻る。
【００１７】
上記のように施工された遠隔操作式排水栓装置は、以下のような排水の流れとなる。
弁体２が排水栓８を開口時には排水口の排水栓８から槽体１内の排水は下水側へと排水される。また、排水口からの排水は、封水を有した排水トラップを介して最終的には下水へと排水される。弁体２が下降時には水が槽体１内に貯水される。
【００１８】
本発明の実施例は上記のようであるが、本発明は上記実施例に限定されることなく、発明の要旨を逸脱することない範囲において、自在に変更することができる。
例えば、前記実施例では槽体１として浴槽を使用しているが、例えば洗面ボウルに用いても構わない。
また、前記実施例ではメカボックス７３の保持機構をスラストロック機構としたが、インナーワイヤ７２を保持できる機構であれば、例えばラッチ機構などを用いても構わない。
また、前記実施例では保持機構としてスラストロック機構を構成しているが、例えば保持機構を備えずに押し引きによる操作で弁体２を開閉する機構としても構わない。
また、前記実施例ではＣ字リング６の傾斜面６３を被係止部６２にのみ構成しているが、スライド凸部６１にも傾斜面６３を設けて、施工者が逆にＣ字リング６を差し込んだとしても傾斜面６３として作用するように構成しても構わない。このような構成にすれば、Ｃ字リング６の挿入方向を気にすることなく施工することが出来る。
また、前記実施例では施工時の取付方法しか説明をしていないが、適宜Ｃ字リング６を取り外すことでスイッチ上部４からスイッチ下部５を取り外すことが可能である。Ｃ字リング６を用いているため簡単に取り外せるから、メンテナンスなどの際、狭い浴槽裏空間でも簡単に脱着対応できる。
【図面の簡単な説明】
【００１９】
【図１】本発明の操作部の断面図である。
【図２】本発明の施工断面図である。
【図３】本発明の取付状態を示す操作部の断面図である。
【図４】本発明の取付状態を示す操作部の断面図である。
【図５】本発明の取付状態を示す操作部の断面図である。
【図６】（Ａ）  本発明の実施例の弁体の閉栓時の断面図である。（Ｂ）  本発明の実施例の弁体が開栓時の断面図である。
【図７】従来例の操作部を示す断面図である。
【符号の説明】
【００２０】
１    槽体
２    弁体
３    操作部
４    スイッチ上部
４１  係止部
４２  受口
５    スイッチ下部
５１  スライド溝
５２  取付口
６    Ｃ字リング
６１  スライド凸部
６２  被係止部
６３  傾斜面
７    レリースワイヤ
７１  アウターチューブ
７２  インナーワイヤ
７３  メカボックス
８    排水栓
９    チューブ管
【図１】
2010095925.tif 000003
【図２】
2010095925.tif 000004
【図３】
2010095925.tif 000005
【図４】
2010095925.tif 000006
【図５】
2010095925.tif 000007
【図６】
2010095925.tif 000008
【図７】
2010095925.tif 000009